(57)【特許請求の範囲】
【請求項１】
水中に固定して設置された着脱装置本体と、水中ポンプを前記着脱装置本体に装着するための水中ポンプに固定された着脱フランジとを備えた水中ポンプ用着脱装置において、前記水中ポンプおよび着脱フランジの組立体を支持するための着脱装置本体上にある着脱支点の位置を着脱装置本体と着脱フランジとの接続面の中心より下方に配置し、ポンプの水圧による力と前記支点間で生じるモーメントが接続面を閉じる方向に作用するようにしたことを特徴とする水中ポンプ用着脱装置。
【請求項２】
前記支点を前記着脱装置本体の両側部に形成された突起により構成し、前記着脱フランジの両側部に前記突起に係止するフックを設けたことを特徴とする請求項１記載の水中ポンプ用着脱装置。
【発明の詳細な説明】
【０００１】
【発明の属する技術分野】
本発明は水中ポンプ用着脱装置に係り、例えば汚水用水中ポンプを簡便に据え付け及び汚水槽からの引き上げができるようにするための着脱装置に関するものである。本発明は、特に樹脂等の材料で構成された軽量水中ポンプを使用する場合に、接続面からのポンプ揚液の漏れが発生しにくい着脱装置の構造に関するものである。
【０００２】
【従来の技術】
樹脂等の材料で構成された軽量水中ポンプを使用する着脱装置においては、ポンプが軽量なために、その重量によって接続面を閉じようとするモーメントが小さく、逆にポンプの水圧によって接続面を開こうとするモーメントによって接続面が開き、正常に接続面でシールができないという問題があった。
【０００３】
図６は、従来の水中ポンプ用着脱装置を示す正面図である。図６に示すように水中ポンプ２１には、着脱フランジ２２が固定されている。着脱フランジ２２の上部にはフック２３が一体に形成されている。符号２４は本ポンプが取付けられる、水中に固定して設置された着脱装置本体である。着脱装置本体２４の上部には前記フック２３が係止する着脱支点２５が突設されている。
【０００４】
図６に示した通り、従来例では着脱フランジ２２と着脱装置本体２４との着脱支点２５は接続面中心ｃよりも高い位置に置かれており、水圧による力の支点を中心とするモーメント（Ｆ２・Ｌ２）とポンプ重量の支点を中心とするモーメント（Ｆ１・Ｌ１）とが互いに打ち消し合うように作用している。従来のポンプは主に鋳物によってケーシング類が作られており、比較的重量が重かったために、重量によって接続面ｓを押さえ付けるモーメント（Ｆ１・Ｌ１）は水圧によって接続面ｓを開こうとするモーメント（Ｆ２・Ｌ２）よりも卓越しており、接続面ｓから水が漏れるということはなかった。
【０００５】
最近になってポンプ軽量化のために、樹脂によってポンプが製作されるようになって、重量によって接続面ｓを押さえ付けるモーメント（Ｆ１・Ｌ１）が小さくなる傾向にある。このような場合、ポンプの水圧によって接続面ｓを開こうとするモーメント（Ｆ２・Ｌ２）が（Ｆ１・Ｌ１）よりも大きくなって、接続面ｓから水が漏れるという問題が発生している。
【０００６】
このような場合に、ポンプの水圧によって接続面を開こうとするモーメントを受けるために、例えば、特開平７−２６９４９９号公報などにおいて、着脱装置に接続面の拡開防止機構を装備するなどの提案がなされていた。しかしながら、このような拡開防止機構を着脱装置に取付けると、着脱装置のコストを上げることや、着脱装置へのポンプの取付けをより精度よく行う必要があるなど、操作の簡便性を阻害する問題もあった。
【０００７】
【発明が解決しようとする課題】
本発明は上述の事情に鑑みなされたもので、ポンプの重量によって接続面を閉じようとするモーメントに対して、ポンプの水圧によって接続面を開こうとするモーメントを十分に小さくすることができる水中ポンプ用着脱装置を提供することを目的とする。
【０００８】
【課題を解決するための手段】
上述した目的を達成するため、本発明は、水中に固定して設置された着脱装置本体（７）と、水中ポンプ（１）を前記着脱装置本体に装着するための水中ポンプに固定された着脱フランジ（４）とを備えた水中ポンプ用着脱装置において、前記水中ポンプおよび着脱フランジの組立体を支持するための着脱装置本体（７）上にある着脱支点（８）の位置を着脱装置本体（７）と着脱フランジ（４）との接続面（ｓ）の中心（ｃ）より下方に配置し、ポンプの水圧による力と前記支点間で生じるモーメントが接続面（ｓ）を閉じる方向に作用するようにしたことを特徴とするものである。
【０００９】
従来の製品では着脱装置がポンプを支える支点の位置が接続面よりも高い位置にあったのに対して、本発明では着脱装置がポンプを支える着脱支点の位置を接続面中心よりも下方に配置するようにした。
【００１０】
【実施例】
以下、本発明に係る水中ポンプ用着脱装置の参考例を図１及び図２を参照して説明する。
図１は水中ポンプ用着脱装置の全体構成を示す正面図、図２は図１のII矢視図である。図１及び図２において、符号１は水中ポンプであり、水中ポンプ１においては、モータを内蔵する外胴２及びポンプケーシング３等が樹脂により構成されている。
【００１１】
水中ポンプ１には着脱フランジ４が固定されている。着脱フランジ４は吐出フランジにボルト等によって接続されている。着脱フランジ４には一対のフック５，５が一体に形成されている。符号７は本ポンプが取付けられる、水中に固定して設置された着脱装置本体である。着脱装置本体７の左右両側には、一対の着脱支点８，８が突設されており、着脱支点８，８に前記フック５，５が係止するようになっている。
【００１２】
図１に示されるように、着脱支点８の位置は、ほぼ接続面中心ｃに位置しているために、接続面ｓを開こうとするモーメント（Ｆ２・Ｌ２）は非常に小さな値に抑えられており、軽量ポンプにおける接続面ｓを押さえ付けようとするモーメント（Ｆ１・Ｌ１）で十分に接続面ｓの密着が可能である。
【００１３】
図３は本発明の一実施例を示す正面図である。本実施例においては、着脱フランジ４に形成された一対のフック５，５は、図１に示す参考例のフックより下方に位置している。また着脱装置本体７に設けられた着脱支点８，８も図１に示す参考例のものより下方に位置している。その他の構成は、図１に示す参考例と同様である。
【００１４】
本実施例においては、着脱支点８の位置を接続面中心ｃよりも更に低い位置に設けている。したがって、水圧により生ずるモーメント（Ｆ２・Ｌ２）はポンプ重量が接続面ｓを閉じようとするモーメント（Ｆ１・Ｌ１）と同一方向に作用することとなり、より確実な接続面の密着が確保できる。
【００１５】
図４及び図５は、さらに他の参考例を示す図であり、図４は正面図、図５は図４のV矢視図である。図４及び図５に示すように、本参考例においては、着脱フランジ４に、水中ポンプ１及び着脱フランジ４の組立体が着脱装置本体７の着脱支点８，８に容易にセットされるようにガイド部９が一体に形成されている。また着脱装置本体７には、このガイド部９が円滑に案内されるようにガイドパイプ１０，１０が取付けられている。
【００１６】
水中ポンプには吊り具１１が取付けられているので、ポンプ据え付け作業者はポンプが据え付けられる水槽の外部から吊り具１１を下ろしていくだけで、水中ポンプ１はガイドパイプ１０をつたって容易に着脱装置本体７にセットされるのである。その他の構成は、図１および図２に示す参考例と同様である。
【００１７】
図中の着脱支点８は、着脱装置本体７に着脱フランジ４の中心近傍に突起として設けられており、ポンプの水圧による着脱フランジ４を開こうとする力が、大きなモーメントを発生しないようになっている。
【００１８】
【発明の効果】
以上説明したように本発明によれば、水圧によって着脱フランジと着脱装置本体の接続面を開こうとするモーメントが極小に抑えられるので、樹脂材料や板金材及びアルミニウムの使用などで軽量化された水中ポンプでも、水圧によって接続面が開くことがなく、信頼性の高い着脱装置が提供できる。また、ポンプが軽量でなくとも、吐出圧が非常に高いような場合には接続面からの漏れが発生する場合があったが、このような場合に対しても、本発明は有効な着脱装置が提供できる。
【００１９】
また、本発明は着脱支点の位置を変えるだけで、接続面を開くモーメントを低減しており、特開平７−２６９４９９号公報において提案されているような特別な接続面の拡開防止装置を設ける必要がない点でも有利である。
【図面の簡単な説明】
【図１】  本発明に係る水中ポンプ用着脱装置の一参考例を示す正面図である。
【図２】  図１のII矢視図である。
【図３】  本発明に係る水中ポンプ用着脱装置の一実施例を示す正面図である。
【図４】  本発明に係る水中ポンプ用着脱装置のさらに他の参考例を示す正面図である。
【図５】  図４のV矢視図である。
【図６】  従来の水中ポンプ用着脱装置を示す正面図である。
【符号の説明】
１    水中ポンプ
２    外胴
３    ポンプケーシング
４    着脱フランジ
５    フック
７    着脱装置本体
８    着脱支点
９    ガイド部
１０  ガイドパイプ
１１  吊り具
【図１】
0003772923.tif 000002
【図２】
0003772923.tif 000003
【図３】
0003772923.tif 000004
【図４】
0003772923.tif 000005
【図５】
0003772923.tif 000006
【図６】
0003772923.tif 000007